(57)【要約】【課題】防水性を維持しつつ他の電子部品に与えるアンテナの影響を抑えるとともに装置の小型化を図ること。【解決手段】電子機器は、筐体と、回路基板と、アンテナ部材とを備える。回路基板は、筐体の内部に水密に収納される。アンテナ部材は、基端部が回路基板に接続されるとともに、回路基板の縁部を越えるように延在する。そして、筐体は、回路基板の縁部に対向する部分に回路基板の縁部から離間する方向に凹設され、アンテナ部材の先端部を収容する凹部を有する。【選択図】図７
2012199715.tif 000002
【特許請求の範囲】
【請求項１】
筐体と、
前記筐体の内部に水密に収納された回路基板と、
基端部が前記回路基板に接続されるとともに、前記回路基板の縁部を越えるように延在するアンテナ部材と
を備え、
前記筐体は、前記回路基板の縁部に対向する部分に、前記回路基板の縁部から離間する方向に凹設され、前記アンテナ部材を収容する凹部を有することを特徴とする電子機器。
【請求項２】
前記筐体は、前記凹部に収容された前記アンテナ部材を前記凹部に対して押圧する押圧部材をさらに有することを特徴とする請求項１に記載の電子機器。
【請求項３】
前記凹部に収容された前記アンテナ部材と前記凹部の表面とが接着されていることを特徴とする請求項１または２に記載の電子機器。
【発明の詳細な説明】
【技術分野】
【０００１】
本発明は、電子機器に関する。
【背景技術】
【０００２】
従来、防水性を維持した電子機器が知られている。この種の電子機器は、各種の電子部品が実装された回路基板を筐体の内部に水密に収納する。回路基板に実装された電子部品のうちアンテナは、他の電子部品に与える影響を抑えるために、回路基板上の他の電子部品から離間して設けることが好ましい。
【０００３】
そこで、回路基板を収容する内側筐体と該内側筐体を覆う外側筐体との間にアンテナの先端部を配置した電子機器が提案されている。この電子機器では、アンテナの基端部である給電部のみを内側筐体に設けられた孔から内側筐体の内部へ引き込んで回路基板に接続することにより、回路基板上の他の電子機器からアンテナの先端部を離間して配置している。これにより、アンテナの先端部からの電波が他の電子部品に与える影響を抑えることが可能となる。
【先行技術文献】
【特許文献】
【０００４】
【特許文献１】特開２００８−１１１１６号公報
【発明の概要】
【発明が解決しようとする課題】
【０００５】
しかしながら、上記した従来の電子機器では、防水性を維持しつつ他の電子部品に与えるアンテナの影響を抑えることができるものの、装置が大型化するという問題がある。
【０００６】
具体的には、従来の電子機器では、内側筐体に外側筐体を接合する二重構造を採用し、内側筐体と外側筐体との間にアンテナの先端部を配置するための空間を形成する。このため、従来の電子機器では、内側筐体と外側筐体との間に形成された空間および外側筐体の分だけ、装置が大型化する。
【０００７】
開示の技術は、上記に鑑みてなされたものであって、防水性を維持しつつ他の電子部品に与えるアンテナの影響を抑えるとともに装置の小型化を図ることができる電子機器を提供することを目的とする。
【課題を解決するための手段】
【０００８】
本願の開示する電子機器は、筐体と、回路基板と、アンテナ部材とを備える。回路基板は、前記筐体の内部に水密に収納される。アンテナ部材は、基端部が前記回路基板に接続され、先端部が前記回路基板の縁部を越えるように延在する。そして、前記筐体は、前記回路基板の縁部に対向する部分に前記回路基板の縁部から離間する方向に凹設され、前記アンテナ部材の先端部を収容する凹部を有する。
【発明の効果】
【０００９】
本願の開示する電子機器の一つの態様によれば、防水性を維持しつつ他の電子部品に与えるアンテナの影響を抑えるとともに装置の小型化を図ることができるという効果を奏する。
【図面の簡単な説明】
【００１０】
【図１】図１は、携帯電話機の閉状態を示す外観斜視図である。
【図２】図２は、携帯電話機の開状態を示す外観斜視図である。
【図３】図３は、携帯電話機の回転状態を示す外観斜視図である。
【図４】図４は、携帯電話機の分解斜視図である。
【図５】図５は、固定側リアケース側から見た固定側筐体の平面図である。
【図６】図６は、固定側筐体の分解斜視図である。
【図７】図７は、図５に示した固定側筐体のＡ−Ａ線断面図である。
【図８】図８は、図５に示した固定側筐体のＢ−Ｂ線断面図である。
【発明を実施するための形態】
【００１１】
以下に、本願の開示する電子機器の実施例を図面に基づいて説明する。なお、以下の実施例では、本願の開示する電子機器について携帯電話機を例にして説明するが、本願の開示する電子機器は、パソコン、ＰＤＡ（Personal Digital Assistants）、携帯ゲーム機など携帯電話機以外の各種の電子機器として実現することもできる。
【実施例】
【００１２】
まず、図１〜図４を参照しつつ、本実施例に係る携帯電話機１００の構成について説明する。図１は、携帯電話機１００の閉状態を示す外観斜視図である。図２は、携帯電話機１００の開状態を示す外観斜視図である。図３は、携帯電話機１００の回転状態を示す外観斜視図である。図４は、携帯電話機１００の分解斜視図である。
【００１３】
図１〜図３に示すように、携帯電話機１００は、操作部側の筐体である固定側筐体１１０と、表示部側の筐体である可動側筐体１３０とを有する。固定側筐体１１０には、操作ボタンを有する操作部１１１が設けられている。可動側筐体１３０には、表示パネル１３１や音声通話用のマイク１３２およびスピーカ１３３が設けられている。
【００１４】
また、固定側筐体１１０と可動側筐体１３０とは、図４に示した連結機構１５０を介して相対的に可動自在に連結されている。そして、携帯電話機１００は、連結機構１５０を用いて固定側筐体１１０に対して可動側筐体１３０をスライドさせたり回転させたりすることで、図１に示す閉状態と、図２に示す開状態と、図３に示す回転状態のいずれかへ状態を変化させることができる。
【００１５】
図１に示す閉状態は、固定側筐体１１０と可動側筐体１３０とが最大の重なり範囲で重なった状態である。この閉状態では、携帯電話機１００の長手方向に関する全長が最も短くなる。このため、携帯電話機１００は、例えば、持ち運びの際や、操作部１１１を用いなくても実行可能な通話履歴の閲覧等の簡易な機能を利用する場合に、閉状態に設定される。
【００１６】
図２に示す開状態は、固定側筐体１１０に対して可動側筐体１３０をスライドさせることにより固定側筐体１１０と可動側筐体１３０とが最小の重なり範囲で重なった状態である。この開状態では、携帯電話機１００の長手方向に関する全長が最も長くなる。また、この開状態では、固定側筐体１１０の操作部１１１が露出した状態となる。このため、携帯電話機１００は、例えば、通話時や操作部１１１を用いた送信メールの作成などの操作を行う場合に、開状態に設定される。
【００１７】
図３に示す回転状態は、固定側筐体１１０に対して可動側筐体１３０を９０°回転した状態である。この回転状態は、表示パネル１３１が横長の状態となる。このため、携帯電話機１００は、例えば、動画の視聴、ＷＥＢページの閲覧などを行うときに、回転状態に設定される。
【００１８】
図４に示すように、固定側筐体１１０は、固定側リアケース１１２と固定側フロントケース１１４とを接合することにより形成される。固定側フロントケース１１４の可動側筐体１３０側の外面には、操作部１１１が配置される。また、固定側リアケース１１２と固定側フロントケース１１４とで挟まれた内部空間には、各種の電子部品が実装される固定側回路基板１１６と、固定側回路基板１１６に接続されたアンテナ部材１１８、１１９とが収納される。なお、固定側筐体１１０の内部構成の詳細については後に詳説する。
【００１９】
可動側筐体１３０は、可動側リアケース１３４と可動側フロントケース１３６とを接合することにより形成される。可動側フロントケース１３６の外面には、表示パネル１３１とマイク１３２とスピーカ１３３とが配置される。また、可動側リアケース１３４と可動側フロントケース１３６とで挟まれた内部空間には、各種の電子部品が実装される可動側回路基板１３８が収納される。可動側回路基板１３８は、接続ケーブル１４０を介して固定側回路基板１１６と電気的に接続される。
【００２０】
連結機構１５０は、固定側筐体１１０と可動側筐体１３０との間に介設される。連結機構１５０は、所定のスライド機構や所定の回転機構を組み合わせた可動機構であり、固定側筐体１１０と可動側筐体１３０とをスライド自在に連結するとともに、これらを回転自在に連結する。
【００２１】
次に、固定側筐体１１０の内部構成の詳細について説明する。図５は、固定側リアケース１１２側から見た固定側筐体１１０の平面図である。図６は、固定側筐体１１０の分解斜視図である。図７は、図５に示した固定側筐体１１０のＡ−Ａ線断面図である。図８は、図５に示した固定側筐体１１０のＢ−Ｂ線断面図である。なお、図７に示したＡ−Ａ線断面図は、アンテナ部材１１８の基端部１１８ａを通る断面図であり、図８に示したＢ−Ｂ線断面図は、アンテナ部材１１８の先端部１１８ｂを通る断面図である。
【００２２】
図６〜図８に示すように、固定側筐体１１０は、固定側リアケース１１２と固定側フロントケース１１４とを防水用ガスケット１２０を介して接合して形成される。防水用ガスケット１２０は、固定側リアケース１１２の側壁の頂部と固定側フロントケース１１４の縁部１１４ａとの間に介挿され、固定側リアケース１１２の側壁の頂部と固定側フロントケース１１４の縁部１１４ａとの間を水密に封止する。これにより、固定側リアケース１１２と固定側フロントケース１１４とで挟まれた固定側筐体１１０の内部空間への水の浸入を防止することが可能となる。
【００２３】
固定側リアケース１１２の側壁よりも内側の領域には、各種の電子部品が実装された固定側回路基板１１６が取り付けられる。固定側リアケース１１２の側壁の頂部と固定側フロントケース１１４の縁部１１４ａとは、防水用ガスケット１２０により水密に封止されている。つまり、固定側回路基板１１６は、固定側リアケース１１２と固定側フロントケース１１４とで挟まれた固定側筐体１１０の内部空間に水密に収納される。
【００２４】
図７に示すように、固定側回路基板１１６の表面の所定位置には、バネ端子１１６ａが設けられ、このバネ端子１１６ａを介してアンテナ部材１１８が固定側回路基板１１６に取り付けられる。なお、バネ端子１１６ａは、各アンテナ部材１１８、１１９に対応して固定側回路基板１１６に設けられ、図７では、バネ端子１１６ａを介してアンテナ部材１１８が固定側回路基板１１６に取り付けられた状態を示している。
【００２５】
アンテナ部材１１８、１１９は、それぞれ異なる周波数の通信に用いられるアンテナである。例えば、アンテナ部材１１８は、８００ＭＨｚの通信に用いられ、アンテナ部材１１９は、２ＧＨｚの通信に用いられる。各アンテナ部材１１８、１１９は、可撓性を有する部材により形成される。また、各アンテナ部材１１８、１１９の基端部１１８ａ、１１９ａは、固定側回路基板１１６のバネ端子１１６ａに接続され、各アンテナ部材１１８、１１９の先端部１１８ｂ、１１９ｂは、固定側回路基板１１６の縁部１１６ｂを越えるように延在する。
【００２６】
図７および図８に示すように、固定側リアケース１１２は、側壁のうち固定側回路基板１１６の縁部１１６ｂに対向する部分に、固定側回路基板１１６の縁部１１６ｂから離間する方向に凹設された凹部１１３を有する。凹部１１３は、固定側回路基板１１６の縁部１１６ｂを越えて延在するアンテナ部材１１８の先端部１１８ｂを収容する。凹部１１３に収容されたアンテナ部材１１８の先端部１１８ｂと凹部１１３の表面とは、両面テープなどを用いて接着されても良い。なお、図示を省略するが、凹部１１３は、固定側回路基板１１６の縁部１１６ｂを越えて延在するアンテナ部材１１９の先端部１１９ｂを収容する。
【００２７】
また、図６および図８に示すように、固定側リアケース１１２は、凹部１１３に収容されたアンテナ部材１１８の先端部１１８ｂを凹部１１３に対して押圧する押圧部材１１５を有する。押圧部材１１５は、両面テープ１１５ａにより固定側リアケース１１２に貼り付けられている。これにより、アンテナ部材１１８の先端部１１８ｂが凹部１１３から離反し、固定側回路基板１１６へ接近することを防止することができる。
【００２８】
なお、本実施例では、アンテナ部材１１８、１１９の先端部１１８ｂ、１１９ｂが凹部１１３に収容される例を説明したが、この形態に限られるものではない。例えばアンテナ部材１１８、１１９の形状が、固定側回路基板１１６の縁部１１６ｂから離間する方向に伸びて凹部１１３に収容されたのちに、再度固定側回路基板１１６の縁部１１６ｂに近接する方向に曲がるようなものであった場合には、アンテナ部材１１８、１１９の先端部１１８ｂ、１１９ｂではなく、他の部位が凹部１１３に収容されるようにしてもよい。
【００２９】
上述してきたように、本実施例の携帯電話機１００では、固定側リアケース１１２と固定側フロントケース１１４とを接合して形成される固定側筐体１１０の内部に固定側回路基板１１６が水密に収納される。このため、本実施例によれば、固定側回路基板１１６の防水性を維持することができる。そして、本実施例の携帯電話機１００では、固定側リアケース１１２は、側壁のうち固定側回路基板１１６の縁部１１６ｂに対向する部分に、固定側回路基板１１６の縁部１１６ｂから離間する方向に凹設された凹部１１３を有する。そして、本実施例の携帯電話機１００では、固定側回路基板１１６の縁部１１６ｂを越えて延在するアンテナ部材１１８の先端部１１８ｂを凹部１１３に収容する。このため、本実施例によれば、アンテナ部材１１８の先端部１１８ｂを固定側回路基板１１６上の他の電子部品から所定距離だけ離間して配置することができ、アンテナ部材１１８の先端部１１８ｂからの電波が他の電子部品に与える影響を抑えることができる。また、本実施例によれば、固定側筐体１１０を覆う外側筐体を固定側筐体１１０に別途接合して固定側筐体１１０と外側筐体との間にアンテナ部材を配置するための空間を形成する必要がないため、携帯電話機１００の小型化を図ることができる。つまり、本実施例によれば、防水性を維持しつつ固定側回路基板１１６上の他の電子部品に与えるアンテナ部材１１８の影響を抑えるとともに携帯電話機１００の小型化を図ることができる。
【００３０】
また、本実施例の携帯電話機１００では、固定側リアケース１１２の凹部１１３に収容されたアンテナ部材１１８の先端部１１８ｂを凹部１１３に対して押圧する押圧部材１１５を有する。このため、本実施例によれば、落下時の衝撃などでアンテナ部材１１８の先端部１１８ｂに不測の外力が加わった場合に、アンテナ部材１１８の先端部１１８ｂが凹部１１３から離反し、固定側回路基板１１６へ接近することを防止することができる。その結果、本実施例によれば、落下などの不測の事態が発生した場合であっても、固定側回路基板１１６上の他の電子部品に与えるアンテナ部材１１８の影響を抑えることができる。
【００３１】
また、本実施例の携帯電話機１００では、固定側リアケース１１２の凹部１１３に収容されたアンテナ部材１１８の先端部１１８ｂと凹部１１３の表面とは、両面テープなどを用いて接着されても良い。このため、本実施例によれば、アンテナ部材１１８の先端部１１８ｂと凹部１１３の表面との間の接着力を用いてアンテナ部材１１８の先端部１１８ｂが凹部１１３から離反する力を低減することができる。その結果、本実施例によれば、アンテナ部材１１８の先端部１１８ｂが凹部１１３から離反し、固定側回路基板１１６へ接近することを簡易な構成により防止することができる。
【符号の説明】
【００３２】
１００  携帯電話機
１１０  固定側筐体
１１１  操作部
１１２  固定側リアケース
１１３  凹部
１１４  固定側フロントケース
１１４ａ  縁部
１１５  押圧部材
１１５ａ  両面テープ
１１６  固定側回路基板
１１６ａ  バネ端子
１１６ｂ  縁部
１１８、１１９  アンテナ部材
１１８ａ、１１９ａ  基端部
１１８ｂ、１１９ｂ  先端部
１２０  防水用ガスケット
１３０  可動側筐体
１３１  表示パネル
１３２  マイク
１３３  スピーカ
１３４  可動側リアケース
１３６  可動側フロントケース
１３８  可動側回路基板
１４０  接続ケーブル
１５０  連結機構
【図１】
2012199715.tif 000003
【図２】
2012199715.tif 000004
【図３】
2012199715.tif 000005
【図４】
2012199715.tif 000006
【図５】
2012199715.tif 000007
【図６】
2012199715.tif 000008
【図７】
2012199715.tif 000009
【図８】
2012199715.tif 000010